(57)【要約】【課題】  引戸の開閉時の制動及び閉時の引戸停止の動作性を有効に調整し閉時の縦枠と引戸の衝撃、振動や騒音、手指を挟む怪我の発生、引戸閉時の隙間を有効に解消し、開閉操作性を向上させ、引戸を長期に使用しても戸板の走行速度の制動力が弱くなるといったことがなく、戸板閉時の戸板停止状態を安定させ、極めて開閉操作性に優れた引戸構造体を提供する。【解決手段】  上枠、下枠、左右縦枠からなる引戸枠と、該引戸枠内を上下枠に沿って左右に滑動する戸板と、上部ガイドレール、下部ガイドレールからなり、戸板上端縁にガイドランナー、戸板下端縁に走行具が取り付けられ、ガイドレールによって戸板の走行がガイドされ、走行具によって戸板が走行する引戸構造体であって、戸板上端縁の戸閉まり側の端部に走行緩衝装置を設けるようにした。【選択図】        図１
2009287228.tif 000002
【特許請求の範囲】
【請求項１】
上枠、下枠、左右縦枠からなる引戸枠と、該引戸枠内を上下枠に沿って左右に滑動する戸板とからなり、上枠に上部ガイドレールが設けられ、前記戸板の上端縁に走行ガイド部及びガイドランナーが設けられ、前記下枠に下部ガイドレールが設けられ、戸板下端縁に戸板の下部走行具が設けられ、前記上部と下部のガイドレールによって戸板の走行がガイドされ、前記走行ガイド部及びガイドランナーと、前記下部走行具によって戸板が走行する引戸構造体であって、戸板上端縁及び上部ガイドレールの戸閉まり側の端部に走行緩衝装置が設けられていることを特徴とする引戸構造体。
【請求項２】
前記走行緩衝装置が上部ガイドレール内の戸閉まり側の端部に設けられた係止具と戸板上端縁の戸閉まり側の端部に設けられた緩衝治具とからなり、前記係止具は上部ガイドレール内に取り付け固定する平板片と該平板片から垂下して設けられ、上部ガイドレールに平板片によって固定されている係止ピンとからなり、前記緩衝治具は、戸板上端縁の戸閉まり側の端部に設けられ、係止ピンをくわえ込み、又は、くわえ込み解除が自在な構成とされ、係止ピンを脱着自在とするキャッチ部と、他端部に設けられ、オイルダンパーを固定する固定部と、その間に設けられるオイルダンパーとからなり、前記キャッチ部の後端縁にオイルダンパーの戸閉まり側の端部が固定され、この状態でキャッチ部が戸板上端縁の戸閉まり側の端部に戸板に対して固定非固定自在な構成とされており、戸板の閉時、上枠内の上部ガイドレールから垂下して設けられている前記係止ピンを、緩衝治具のキャッチ部にくわえ込ませた状態のまま戸板を閉方向に付勢させると、前記キャッチ部の固定が解除され、キャッチ部が係止ピンをくわえたまま上部ガイドレールに対して固定され、戸板に対して移動し、キャッチ部と固定部の距離が縮小し、戸板が閉方向に付勢されながら移動し、オイルダンパーが縮む際の抵抗力が生じ、このようなオイルダンパーの働きで前記付勢力に抵抗が働き、戸板の閉まり方向の走行速度にブレーキが作動し、このことで戸板の戸閉まり速度を適宜調整可能としたことを特徴とする請求項１に記載の引戸構造体。
【請求項３】
前記緩衝治具のキャッチ部と固定部を結ぶコイルバネが設けられており、コイルバネの戸閉まり側の端部がキャッチ部に係止され、他端部が固定部に係止され、コイルバネの伸縮にともない戸板が係止ピンに対して移動自在な構成とされ、前記緩衝治具のキャッチ部は、戸板の戸閉まり側の端部位置においてその位置を戸板に対して維持固定し又は固定を解除自在とする構成のロックが設けられており、戸板閉時、前記キャッチ部が係止ピンをくわえ込み、キャッチ部を押すと前記ロックが外れ、逆に、戸板開時、キャッチ部が戸板の戸閉まり側の端部位置にまで戻ると前記ロックが掛かる構成とされ、戸板閉時に前記キャッチ部が係止ピンをくわえ込み前記ロックが外れると、キャッチ部が係止ピンをくわえたまま上部ガイドレールに対して固定されたまま、戸板に対して移動し、コイルバネが伸長位置から収縮位置まで縮む方向のコイルバネの収縮力で、戸板が閉方向に付勢され、逆に、戸板開時に前記キャッチ部が戸閉まり側の端部位置にまで戻ると、前記ロックが掛かかることを特徴とする請求項１又は請求項２に記載の引戸構造体。
【請求項４】
前記走行緩衝装置のコイルバネの一方の端部を係止する前記固定部の取り付け位置がコイルバネの長さ方向に沿って移動可能とされ、コイルバネの固定部位置が適正位置に調整可能な構成とされ、コイルバネの伸長位置から収縮位置までの長さを自在に調節することができることを特徴とする請求項３に記載の引戸構造体。
【請求項５】
前記走行緩衝装置の緩衝治具の前記キャッチ部が弾性体からなる波型段部で構成され、前記走行緩衝装置の係止具の平板片に調整孔が設けられ、該調整孔は、戸板の走行方向と略直交方向に細長い形状の長穴であり、該長穴を利用して前記平板片が戸板の走行方向と略直交方向に位置を微調整可能に設けられ、戸板上端縁の戸閉まり側の端部に設けられている走行緩衝装置の後部近傍に走行ガイド部が設けられ、戸板上端縁の他端部にガイドランナーが設けられ、前記走行ガイド部とガイドランナーは、偏心回転可能とする円盤状の回転体と、その下部に設けられている鋸歯部が形成された調整体で構成されており、前記係止具の平板片の調整孔による平板片の位置、走行ガイド部の回転体を偏心回転させることによる回転体の位置、ガイドランナーの回転体を偏心回転させることによる回転体の位置をそれぞれ適正な位置に微調整可能な構成とされていることで、戸板走行方向の左右バランスが微調整可能とされていることを特徴とする請求項１〜請求項４のいずれかに記載の引戸構造体。
【発明の詳細な説明】
【技術分野】
【０００１】
本発明は建物などに使用される引戸構造体に関する。
【背景技術】
【０００２】
従来、住宅等の建物に使用されている引戸を開閉する際、開閉操作時に力が入りすぎて引戸が勢い良く縦枠に衝突することが多々あった。また、衝突によって引戸が振動したり、騒音が発生したり、場合によっては手指を挟んで怪我をする事故が発生するといった問題があった。
【０００３】
そのため、引戸が縦枠に衝突することによって引き起こされる振動、騒音を防止したり、手指を挟んで思わぬ怪我をするといった事故を防ぐために従来からさまざまな工夫がなされている。例えば、引戸下部にある戸車の回転が増大するのに伴って摩擦係数の大きな当接部材が突出し、湾曲部材に接触して戸車の回転を減速させる機構を有する引戸の制動装置に関する記載がある。（例えば、特許文献１参照）。
【０００４】
【特許文献１】特開平８−１５１８５１号公報（第２−３頁、第１図）。
【発明の開示】
【発明が解決しようとする課題】
【０００５】
しかしながら、前記特開平８−１５１８５１号公報に記載されている引戸の制動装置は、戸板下端縁に設けられた回転体とゴム材質からなる当接部材の接触による両部材の摩擦力によって回転体の回転を弱め、このことによって、戸板の走行速度を制動する仕組みであるので、引戸を長期間開閉操作すると、前記両部材に摩滅が生じ、制動力が弱くなる。すなわち、引戸の長期耐久性能に自ずと限界が生じていた。
【０００６】
また、一旦取り付け施工された引戸も長期間の使用により、縦枠上下枠等の建て付け状態が変化し、せっかく取り付けられた引戸を再度調整する必要性が多々生じていた。戸車の上下調整のみならず、制動機構や停止機構の微調整を、こまめに精確良く、しかも、確実に実施する必要がある。
【０００７】
しかし、前記特開平８−１５１８５１号公報に記載の、回転体とゴム材質からなる当接部材の接触による両部材の摩擦力によって回転体の回転を弱める構造では、前記両部材に摩滅が生じ、制動力が弱くなり、引戸の長期耐久性能に限界があるといった問題点があった。
【０００８】
また、戸板閉時に、よく注意して完全に閉めるように心がけないと、戸板の戸先側端縁と縦枠との間に若干の隙間が生じる場合が多々あった。特に長期間引戸を使用して建て付けが少し悪くなった場合、縦枠と戸板の戸先側端縁との隙間解消が困難になっていた。
【０００９】
また、回転体とゴム材質からなる当接部材の接触による両部材の摩擦力が摩滅によって弱くなりすぎると、戸板開時においては、急に戸板が開くトラブルについても良く注意しないと問題となることが多々あった。また、前記両部材の摩擦力が強くなりすぎると、戸板開時において、戸板を開く際に過大な力を要し非常に開けづらくなるといった問題点もあった。
【００１０】
本発明の目的は、引戸を閉める際、及び、開く際の制動及び閉時の引戸停止の動作性を有効に調整することで、閉時の縦枠と引戸の衝撃、及び、振動や騒音、また、それらの間に手指を挟むことによる怪我の発生を有効に解消し、さらに、引戸閉時における縦枠との隙間を解消し、戸板を閉める際も、また、開く際も、スム−ズに開閉が可能で、しかも、引戸を長期間使用し、開閉操作を長期間にわたって実施しても、戸板の走行速度の制動力が弱くなるといったことがなく、戸板閉時において戸板停止状態を安定的に保持でき、戸板開時においても急に戸板が開くこともなく、また、戸板を開く際に過大な力を要することもなくスムーズに開けることができ、極めて開閉操作性に優れた引戸構造体を提供することにある。
【課題を解決するための手段】
【００１１】
上記目的を達成するため、本発明の請求項１に記載の引戸構造体は、上枠、下枠、左右縦枠からなる引戸枠と、該引戸枠内を上下枠に沿って左右に滑動する戸板とからなり、上枠に上部ガイドレールが設けられ、前記戸板の上端縁に走行ガイド部及びガイドランナーが設けられ、前記下枠に下部ガイドレールが設けられ、戸板下端縁に戸板の下部走行具が設けられ、前記上部と下部のガイドレールによって戸板の走行がガイドされ、前記走行ガイド部及びガイドランナーと、前記下部走行具によって戸板が走行する引戸構造体であって、戸板上端縁及び上部ガイドレールの戸閉まり側の端部に走行緩衝装置が設けられていることを特徴とする。
【００１２】
このような構成から、引戸構造体の戸板上端縁及び上部ガイドレールの戸閉まり側の端部に走行緩衝装置が設けられているので、引戸を閉める時、前記走行緩衝装置の働きで、引戸をほどよく制動することが可能で、引戸を勢いよく閉めた時に引戸が縦枠に衝突して生じる衝撃や振動や騒音を有効に防止し、しかも、手指を縦枠と引戸の間に誤って挟んで思わぬ怪我をするといった危険が防止できる。
【００１３】
本発明の請求項２に記載の発明は、請求項１に記載の引戸構造体において、前記走行緩衝装置が上部ガイドレール内の戸閉まり側の端部に設けられた係止具と戸板上端縁の戸閉まり側の端部に設けられた緩衝治具とからなり、前記係止具は上部ガイドレール内に取り付け固定する平板片と該平板片から垂下して設けられ、上部ガイドレールに平板片によって固定されている係止ピンとからなり、前記緩衝治具は、戸板上端縁の戸閉まり側の端部に設けられ、係止ピンをくわえ込み、又は、くわえ込み解除が自在な構成とされ、係止ピンを脱着自在とするキャッチ部と、他端部に設けられ、オイルダンパーを固定する固定部と、その間に設けられるオイルダンパーとからなり、前記キャッチ部の後端縁にオイルダンパーの戸閉まり側の端部が固定され、この状態でキャッチ部が戸板上端縁の戸閉まり側の端部に戸板に対して固定非固定自在な構成とされており、戸板の閉時、上枠内の上部ガイドレールから垂下して設けられている前記係止ピンを、緩衝治具のキャッチ部にくわえ込ませた状態のまま戸板を閉方向に付勢させると、前記キャッチ部の固定が解除され、キャッチ部が係止ピンをくわえたまま上部ガイドレールに対して固定され、戸板に対して移動し、キャッチ部と固定部の距離が縮小し、戸板が閉方向に付勢されながら移動し、オイルダンパーが縮む際の抵抗力が生じ、このようなオイルダンパーの働きで前記付勢力に抵抗が働き、戸板の閉まり方向の走行速度にブレーキが作動し、このことで戸板の戸閉まり速度を適宜調整可能としたことを特徴とする。
【００１４】
このような構成から、引戸の戸板を閉める時、前記係止ピンを、緩衝治具のキャッチ部にくわえ込ませた状態のまま戸板を閉方向に付勢させると、前記キャッチ部の固定が解除され、キャッチ部が係止ピンをくわえたまま上部ガイドレールに対して固定され、戸板に対して移動し、キャッチ部と固定部の距離が縮小し、戸板が閉方向に付勢されながら移動する際、前記オイルダンパーの働きで、引戸閉時の走行速度をよりいっそう適度に制動することが可能で、引戸を勢いよく閉めた時に引戸が縦枠に衝突して生じる衝撃や振動や騒音や指の怪我の防止にとって、よりいっそう好適である。すなわち、戸板を閉める際も、また、開く際も、スム−ズに開閉可能で、しかも、引戸を長期間使用し、開閉操作を長期間にわたって実施しても、戸板の走行速度の制動力が弱くなるといったことがない引戸構造体を提供することができる。
【００１５】
本発明の請求項３に記載の発明は、請求項１又は請求項２に記載の引戸構造体において、前記緩衝治具のキャッチ部と固定部を結ぶコイルバネが設けられており、コイルバネの戸閉まり側の端部がキャッチ部に係止され、他端部が固定部に係止され、コイルバネの伸縮にともない戸板が係止ピンに対して移動自在な構成とされ、前記緩衝治具のキャッチ部は、戸板の戸閉まり側の端部位置においてその位置を戸板に対して維持固定し又は固定を解除自在とする構成のロックが設けられており、戸板閉時、前記キャッチ部が係止ピンをくわえ込み、キャッチ部を押すと前記ロックが外れ、逆に、戸板開時、キャッチ部が戸板の戸閉まり側の端部位置にまで戻ると前記ロックが掛かる構成とされ、戸板閉時に前記キャッチ部が係止ピンをくわえ込み前記ロックが外れると、キャッチ部が係止ピンをくわえたまま上部ガイドレールに対して固定されたまま、戸板に対して移動し、コイルバネが伸長位置から収縮位置まで縮む方向のコイルバネの収縮力で、戸板が閉方向に付勢され、逆に、戸板開時に前記キャッチ部が戸閉まり側の端部位置にまで戻ると、前記ロックが掛かかることを特徴とする。
【００１６】
このような構成から、引戸構造体の戸板を閉める際、キャッチ部が係止ピンをくわえ込むと、キャッチ部のロックが外れ、キャッチ部が係止ピンをくわえたまま上部ガイドレールに対して固定され戸板に対して移動し、前記コイルバネの収縮力で戸板が閉方向に付勢されるが、前記オイルダンパーの働きで、戸板の戸閉まり側の端縁が縦枠に近づく際に戸板の閉まり方向の走行速度にブレーキが作動し、戸板の戸閉まり速度が遅くなり、適正な速度で戸板を閉めることが可能となる。
【００１７】
さらに、万が一、縦枠に当接する直前で停止し戸板が完全に閉まりきらずに、縦枠と戸板の戸時まり側の端縁との間に若干の隙間が発生しそうになっても、前記緩衝治具のキャッチ部と固定部を結ぶコイルバネが設けられているので、戸板閉時にコイルバネの縮む方向の力で戸板が閉方向に付勢され、戸板と縦枠との隙間が解消する。しかも戸板の停止状態を安定的に保持できる。
【００１８】
また、戸板開時においても、前記オイルダンパーとコイルバネの働きで、戸板が急に開くといったトラブルの防止にも役立ち、スム−ズな引戸の開閉が可能となる。
【００１９】
本発明の請求項４に記載の発明は、請求項３に記載の引戸構造体において、前記走行緩衝装置のコイルバネの一方の端部を係止する前記固定部の取り付け位置がコイルバネの長さ方向に沿って移動可能とされ、コイルバネの固定部位置が適正位置に調整可能な構成とされ、コイルバネの伸長位置から収縮位置までの長さを自在に調節することができることを特徴とする。
【００２０】
このような構成から、コイルバネの一方の端部を係止する前記固定部の取り付け位置がコイルバネの長さ方向に沿って移動可能とされ、コイルバネの固定部位置が適正位置に調整可能な構成とされ、コイルバネの伸長位置から収縮位置までの長さを自在に調節することができるので、コイルバネが作用する力の強弱の調整が可能となる。従って、戸板閉時において、縦枠と戸板の隙間が生じる傾向を解消するには、前記コイルバネの伸長位置から収縮位置までの長さを大きくしバネの縮む力を大きくすればよい。また、逆に、戸板開時において、戸板を開ける際に過大な力を要し開けづらいといった場合には、前記コイルバネの伸長位置から収縮位置までの長さを小さくし、バネの縮む力を小さくすればよい。
【００２１】
本発明の請求項５に記載の発明は、請求項１〜請求項４のいずれかに記載の引戸構造体において、前記走行緩衝装置の緩衝治具の前記キャッチ部が弾性体からなる波型段部で構成され、前記走行緩衝装置の係止具の平板片に調整孔が設けられ、該調整孔は、戸板の走行方向と略直交方向に細長い形状の長穴であり、該長穴を利用して前記平板片が戸板の走行方向と略直交方向に位置を微調整可能に設けられ、戸板上端縁の戸閉まり側の端部に設けられている走行緩衝装置の後部近傍に走行ガイド部が設けられ、戸板上端縁の他端部にガイドランナーが設けられ、前記走行ガイド部とガイドランナーは、偏心回転可能とする円盤状の回転体と、その下部に設けられている鋸歯部が形成された調整体で構成されており、前記係止具の平板片の調整孔による平板片の位置、走行ガイド部の回転体を偏心回転させることによる回転体の位置、ガイドランナーの回転体を偏心回転させることによる回転体の位置をそれぞれ適正な位置に微調整可能な構成とされていることで、戸板走行方向の左右バランスが微調整可能とされていることを特徴とする。
【００２２】
このような構成から、前記走行緩衝装置の緩衝治具の前記キャッチ部が弾性体からなる波型段部で構成されているので、戸板閉時において、係止ピンのくわえ込みの際、係止ピンが波型段部にくわえ込まれ、しかも、波型段部が弾性体からなるので、適度な力で係止ピンを保持することが可能となる。
【００２３】
また、前記係止具の平板片の調整孔による平板片の戸板厚み方向の位置、走行ガイド部の回転体を偏心回転させることによる回転体の戸板厚み方向の位置、ガイドランナーの回転体を偏心回転させることによる回転体の戸板厚み方向の位置をそれぞれ適正な位置に微調整可能となる。すなわち、戸板の走行方向と略直交方する方向（戸板厚み方向）に調整可能に設けられているので、引戸の走行時に、戸板走行方向に対して戸板の左右方向のバランスが適度に調整可能になる。従って、戸板走行性が極めて向上する。
【発明の効果】
【００２４】
請求項１に記載の発明によれば、引戸構造体の戸板上端縁及び上部ガイドレールの戸閉まり側の端部に走行緩衝装置が設けられているので、引戸を閉める時、前記走行緩衝装置の働きで、引戸をほどよく制動することが可能で、引戸を勢いよく閉めた時に引戸が縦枠に衝突して生じる衝撃や振動や騒音を有効に防止し、しかも、手指を縦枠と引戸の間に誤って挟んで思わぬ怪我をするといった危険が防止できる。
【００２５】
請求項２に記載の発明によれば、引戸の戸板を閉める時、前記係止ピンを、緩衝治具のキャッチ部にくわえ込ませた状態のまま戸板を閉方向に付勢させると、前記キャッチ部の固定が解除され、キャッチ部が係止ピンをくわえたまま上部ガイドレールに対して固定され、戸板に対して移動し、キャッチ部と固定部の距離が縮小し、戸板が閉方向に付勢されながら移動する際、前記オイルダンパーの働きで、引戸閉時の走行速度をよりいっそう適度に制動することが可能で、引戸を勢いよく閉めた時に引戸が縦枠に衝突して生じる衝撃や振動や騒音や指の怪我の防止にとって、よりいっそう好適である。すなわち、戸板を閉める際も、また、開く際も、スム−ズに開閉可能で、しかも、引戸を長期間使用し、開閉操作を長期間にわたって実施しても、戸板の走行速度の制動力が弱くなるといったことがない。
【００２６】
請求項３に記載の発明によれば、引戸構造体の戸板を閉める際、キャッチ部が係止ピンをくわえ込むと、キャッチ部のロックが外れ、キャッチ部が係止ピンをくわえたまま上部ガイドレールに対して固定され戸板に対して移動し、前記コイルバネの収縮力で戸板が閉方向に付勢されるが、前記オイルダンパーの働きで、戸板の戸閉まり側の端縁が縦枠に近づく際に戸板の閉まり方向の走行速度にブレーキが作動し、戸板の戸閉まり速度が遅くなり、適正な速度で戸板を閉めることが可能となる。
【００２７】
さらに、万が一、縦枠に当接する直前で停止し戸板が完全に閉まりきらずに、縦枠と戸板の戸時まり側の端縁との間に若干の隙間が発生しそうになっても、前記緩衝治具のキャッチ部と固定部を結ぶコイルバネが設けられているので、戸板閉時にコイルバネの縮む方向の力で戸板が閉方向に付勢され、戸板と縦枠との隙間が解消する。しかも戸板の停止状態を安定的に保持できる。
【００２８】
また、戸板開時においても、前記オイルダンパーとコイルバネの働きで、戸板が急に開くといったトラブルの防止にも役立ち、スム−ズな引戸の開閉が可能となる。
【００２９】
請求項４に記載の発明によれば、コイルバネの一方の端部を係止する前記固定部の取り付け位置がコイルバネの長さ方向に沿って移動可能とされ、コイルバネの固定部位置が適正位置に調整可能な構成とされ、コイルバネの伸長位置から収縮位置までの長さを自在に調節することができるので、コイルバネが作用する力の強弱の調整が可能となる。従って、戸板閉時において、縦枠と戸板の隙間が生じる傾向を解消するには、前記コイルバネの伸長位置から収縮位置までの長さを大きくしバネの縮む力を大きくすればよい。また、逆に、戸板開時において、戸板を開ける際に過大な力を要し開けづらいといった場合には、前記コイルバネの伸長位置から収縮位置までの長さを小さくし、バネの縮む力を小さくすればよい。
【００３０】
請求項５に記載の発明によれば、前記走行緩衝装置の緩衝治具の前記キャッチ部が弾性体からなる波型段部で構成されているので、戸板閉時において、係止ピンのくわえ込みの際、係止ピンが波型段部にくわえ込まれ、しかも、波型段部が弾性体からなるので、適度な力で係止ピンを保持することが可能となる。
【００３１】
また、前記係止具の平板片の調整孔による平板片の戸板厚み方向の位置、走行ガイド部の回転体を偏心回転させることによる回転体の戸板厚み方向の位置、ガイドランナーの回転体を偏心回転させることによる回転体の戸板厚み方向の位置をそれぞれ適正な位置に微調整可能となる。すなわち、戸板の走行方向と略直交方する方向（戸板厚み方向）に調整可能に設けられているので、引戸の走行時に、戸板走行方向に対して戸板の左右方向のバランスが適度に調整可能になる。従って、戸板走行性が極めて向上する。
【発明を実施するための最良の形態】
【００３２】
本発明の詳細を図面に従って説明する。図１は本発明の引戸構造体の正面図、図２は本発明の引戸構造体の要部拡大斜視図である。図中、符号の１は戸板、ｅは戸板の戸閉まり側の端縁、２は上枠、３は下枠、４は縦枠、５は走行緩衝装置、５ａは係止具、Ｈは係止具の平板片、Ｐは係止具の係止ピン、Ｊは係止具の調整孔、５ｂは緩衝治具、Ｋは緩衝治具のケース本体、Ｃはキャッチ部、Ｍは開口部、Ｄは波型段部、Ｙは係止部、Ｕはオイルダンパー、Ｂはコイルバネ、Ｔは固定部、Ｇは走行ガイド部、Ｒ１は回転体、Ｒ２は調整体、Ｅは鋸歯部、６は上部ガイドレール、７は下部ガイドレール、８はガイドランナー、Ｒ１は回転体、Ｒ２は調整体、Ｅは鋸歯部、９は戸板の下部走行具、１０は中方立、Ｓはストッパー、Ｑはロックを示す。
【００３３】
図１において、本発明の引戸構造体の詳細について述べる。図１の正面図に示すように、本発明の引戸構造体は、上枠２、下枠３、左右縦枠４で、引戸枠が形成され、該引戸枠内を上枠２と下枠３に沿って左右に平行方向に滑動する戸板１が設けられている。本例では、前記戸板１は片引戸の例で説明する。片引戸の場合は、引戸枠の左右間口方向の略中程に垂直方向に縦部材としての中方立１０が上枠２と下枠３の間に設けられている。本例では片引戸の例で説明するが、両引戸、又は、３枚引戸以上のものであってもよいものとする。
【００３４】
上枠２に上部ガイドレール６が装着されており、下枠３に下部ガイドレール７が装着されている。このようにして、前記上部と下部のガイドレールによって戸板１の走行がガイドされている。また、前記戸板１の上端縁の所定位置に走行ガイド部Ｇ及びガイドランナー８が設けられている。本例では、走行ガイド部Ｇは、戸板１の上端縁の戸閉まり側の端部に設けられている走行緩衝装置５の後部近傍位置に設けられ、戸板１の上端縁の他方の端部に、ガイドランナー８が設けられている。さらに、前記戸板１の下端縁の所定位置に戸板の下部走行具９が設けられている。本例では、戸板１の下端縁の左右両端部近傍に各１個づつ設けられている。このようにして、前記走行ガイド部Ｇ及びガイドランナー８と、下部走行具９によって、戸板１が走行する構成である。
【００３５】
上記したように、本発明の引戸構造体は、戸板１の上端縁の戸閉まり側の端部に本発明の走行緩衝装置５が設けられている。戸板１を閉める時、前記走行緩衝装置５の働きで、戸板１をほどよく制動することが可能で、戸板１を勢いよく閉めた時に戸板１が縦枠４に衝突して生じる衝撃や振動や騒音を有効に防止し、しかも、手指を縦枠４と戸板１の間に誤って挟んで思わぬ怪我をするといった危険が防止できる。
【００３６】
さらに、上枠２の上部ガイドレール６の戸板開方向の端部の所定位置にストッパーＳが設けられており、戸板１の開時に戸板の進行方向の端縁と縦枠４とが勢いよく衝突し、思わぬ指詰め怪我をしたり、また、戸板１の衝突衝撃音が大きすぎることによる騒音の発生を有効に防止できる。
【００３７】
前記ストッパーＳは、上部ガイドレール６の戸板開方向の端部の所定位置に設けられており、例えば、コイルバネ、板バネ等の弾性部材、ウレタン樹脂発泡体、ポリエチレン樹脂発泡体等の合成樹脂発泡体等からなる軟質部材を好適なものとして例示できる。前記ストッパＳは上部ガイドレール６内にビス等で所定位置に取り付け固定されている。本例では正面視右開きの片引き戸の戸板１で構成された引戸構造体ゆえ、図１の向かって右側の縦枠４の近傍にストッパーＳが取り付けられている。この取り付け位置を、右縦枠４に近づけるか又は遠ざけるかを、戸板１の走行具合を見て丁度良い位置に調整できると、戸板開閉具合が良くなり使い勝手が向上する。下記に詳述するように、ストッパーＳの取り付け箇所を長穴とし、取り付け位置を長穴を利用して調整可能にすると、引戸構造体の使い勝手が向上する。
【００３８】
すなわち、ストッパーＳを向かって左右間口方向に移動させることが簡単にできることが望ましい。そのため、上記したように、ストッパーＳを係止している取り付けビスを左右に移動させることができるような構成とすることが望ましい。図示しないが、上部ガイドレール６にストッパー取り付けベース板を設け、この取り付けベース板にビス止めする構造とし、該取り付けベース板に左右間口方向に長い、長穴を形成しておいて、この長穴を利用して取付ビスが左右間口方向に移動可能な構造とする。そして、この取り付けビスの移動に伴って、ストッパーも左右間口方向に移動可能となる。このようにして、ストッパーＳを左右間口方向に移動させ、調整を行うことができる構造とすることが引戸の開閉操作性の向上にとって好適である。このため、戸板開閉操作性が極めて向上するのである。
【００３９】
また、このストッパーＳは上部ガイドレール６にだけ取り付けておいてもよいし、また、下部ガイドレール７にのみ取り付けておいてもよい。また、上下ガイドレールの両方に取り付けておいても、勿論よいものとする。
【００４０】
前記戸板１及び、引戸枠等を構成する、上枠２、下枠３、左右縦枠４、中方立１０等は、本例では、木質系部材で構成されている。例えば、ＬＶＬ、合板等を芯材とし、表面に突板、単板、樹脂化粧シート、樹脂化粧紙等を貼着して仕上げられた材料が、強度、耐久性、外観仕上がり性等を考慮すると好適である。
【００４１】
また、前記上部ガイドレール６、下部ガイドレール７、走行緩衝装置５、走行ガイド部Ｇ、ガイドランナー８、戸板の下部走行具９等は、硬質の合成樹脂成型体、金属製などからなる。例えば、合成樹脂成型体としては、ＡＢＳ樹脂成型体、硬質ウレタン樹脂成形体、硬質塩ビ樹脂成型体等を好適なものとして例示できる。また、金属製のものとしては、アルミ、ステンレス、鋼板等を好適なものとして例示できる。
【００４２】
また、引戸枠を組み立てるには、左右縦枠４と上枠２、下枠３を組み立て、引戸枠を歪み等に注意して組み立てる。組み立ての具体的な方法は、一例として、先ず最初に、上枠２及び下枠３に上部ガイドレール６及び下部ガイドレール７を取り付けビスで取り付けておく。そして、組み立て構造は、本例では、縦枠４を縦勝ち構造とする。次に、上枠２と下枠３の左右両端部から木ダボを突出させておいて、一方、左右縦枠４の上下端部の内々面に木ダボと嵌合するダボ穴を設けておく。続いて、縦枠４を左右に各１本づつ計２本配置し、上枠２と下枠３を、縦枠４の上下端の内々に位置させ、前記木ダボをダボ穴に嵌入させ木工用ボンドを併用して引戸枠を組み立てる。
【００４３】
戸板１には、その上端縁の戸閉まり側の端部に本発明の走行緩衝装置５を取り付け、該走行緩衝装置５の後部近傍に走行ガイド部Ｇを取り付ける。さらに、戸板１の上端縁の所定位置（戸板１の戸開き側の端部近傍）にガイドランナー８を取り付け、戸板１の下端縁の左右両端部近傍に各１個づつ戸板の下部走行具９を取り付けておく。
【００４４】
また、前記ガイドランナー８の取り付け位置は、本例では、前記したように、戸板１の上端縁の戸板開方向の端部の近傍に設けられている。前記走行ガイド部Ｇとガイドランナー８は、形状は略円筒体を有し、上部ガイドレール６内に嵌挿して取り付けられ、戸板開閉操作に従って、走行ガイド部Ｇ及びガイドランナー８が上部ガイドレールの内面に接しつつ回転しながら戸板１と共に上部ガイドレール６内を平行方向に走行移動し、戸板１がその走行方向と略直交方向（戸板１の厚み方向）に横振れすることを有効に防止する働きがある。
【００４５】
前記戸板走行具９は、戸板１の下端縁の左右両端部近傍に各１個づつ設けられており、例えば、戸車方式の走行具９が好適なものとして例示できる。円盤状のコロが戸板１の開閉操作に従って移動する際、前記コロが下部ガイドレール７の表面上を下部ガイドレール７上面に支持されながら回転しつつ走行する仕組みとされている。
【００４６】
図２において、本発明の引戸構造体に用いられている走行緩衝装置５について詳述する。戸板１の上端縁の戸閉まり側の端部に本発明の走行緩衝装置５が設けられている。該走行緩衝装置５の働きで、戸板１を閉める時、戸板１をほどよく制動することが可能となり、戸板１を勢いよく閉めた時に発生する衝撃や振動や騒音を有効に防止できる。戸板１の閉時において、本例では、戸板１が向かって左方向へ閉操作移動し、最終的に戸板１の戸閉まり側の端縁ｅ（本例では向かって左側の側端縁）が、左縦枠４に当接し、戸板１の閉操作が完了する。この際、戸板１の走行緩衝装置５が取り付けられていないと、戸板１の戸閉まり側の端縁ｅが左縦枠４の内側表面に衝突し、該衝突の際の衝撃が大きくなりすぎ、戸板１を勢いよく閉めた時、衝撃や振動や騒音が発生したり、また、左縦枠４の内面と戸板１の戸閉まり側の端縁ｅの間に手指を詰めて思わぬ怪我をするといったことも多々あったが、このことが有効に防止できる。さらに、戸板１の戸閉まり側の端縁ｅと左縦枠４との間に、戸板１が閉まりきらないことによる隙間等の発生を有効に防止できる。
【００４７】
本発明の走行緩衝装置５は、上部ガイドレール６内に設けられた係止具５ａと戸板１の上端縁の戸閉まり方向の端部に設けられている緩衝治具５ｂとで構成されている。また、前記係止具５ａは上部ガイドレール６内部の所定の位置（戸閉まり側の端部近傍）に取り付け固定されている平板片Ｈと該平板片Ｈの略中央部から下方へ垂下して設けられている係止ピンＰとで構成されている。さらに、前記係止ピンＰは上部ガイドレール６に対して位置が固定されている。さらに、係止ピンＰは、下記のキャッチ部Ｃにくわえ込みまたはくわえ込み解除が自在な構成とされている。
【００４８】
また、前記緩衝治具５ｂは係止ピンＰをくわえ込むキャッチ部Ｃと、オイルダンパーＵの一方の端部を固定する固定部Ｔと、オイルダンパーＵと、オイルダンパーＵの下方において、オイルダンパーＵに沿って設けられているコイルバネＢと、それらを内蔵するケース本体Ｋで構成されている。詳述すると、前記オイルダンパーＵ及びコイルバネＢは前記戸閉まり側の端部をキャッチ部Ｃの箇所で固定され、他端部を前記固定部Ｔの箇所で固定されている。
【００４９】
前記係止具５ａを構成する平板片Ｈは幅が上部ガイドレール６の内法寸法に見合う寸法とされており、上部ガイドレール６の戸閉まり側の端部にビスなどによって取り付け固定されている。平板片Ｈには、該平板片の長さ方向の両端部近傍に、調整孔Ｊが設けられており、該調整孔Ｊを利用して取付ビスなどによって平板片Ｈが上部ガイドレール６内に取り付け固定されている。このように平板片Ｈ及び係止ピンＰは、上部ガイドレール６の所定の位置（縦枠４の戸閉まり側の端部から約７０〜１２０ｍｍ程度離れた位置）に上部ガイドレール６から下方に垂下して取り付け固定されている。この平板片Ｈの取り付け固定は平板片Ｈの条溝Ｊを利用し、取り付けビスが上部ガイドレール６の天面を貫通し、上枠２にねじ込まれるようにして取り付け固定する。このようにすると、係止具５ａが強固にしっかりと固定できる。
【００５０】
また、前記調整孔Ｊは上部ガイドレール６の長さ方向とは直交方向（戸板１の厚み方向）に細長い形状の長穴とされている。このように長穴として形成されているので、取り付けビスを緩め、長穴を利用して前記平板片Ｈを上部ガイドレール６の長さ方向とは直交方向（戸板１の厚み方向）に若干移動させ、平板片Ｈの取り付け位置を微調整し、このことによって、前記係止ピンＰの位置（上部ガイドレールの幅方向に対する位置、すなわち、戸板の厚み方向位置）を微調整することが可能な構造である。引戸開閉操作時において、戸板１の走行具合を確認し、必要に応じて、前記したような微調整を行うことができる。従って、係止ピンＰの位置（戸板厚み方向位置）と、それをくわえ込むキャッチ部Ｃの位置（戸板厚み方向位置）を微調整して合致させることができる。
【００５１】
また、前記平板片Ｈの下方に設けられている係止ピンＰは、前記緩衝治具５ｂのキャッチ部Ｃ内にくわえ込ませる構造ゆえ、キャッチ部Ｃの内部に十分嵌挿される程度の十分な長さを有している。さらに、キャッチ部Ｃは弾性体からなる波型段部Ｄで構成されている。緩衝治具５ｂを構成するキャッチ部Ｃは、戸閉まり側端部に、係止ピンＰを取り込むのに十分な大きさを有する開口部Ｍを備え、該開口部Ｍに続いて波型段部Ｄからなる係止部Ｙが形成されている。この波型段部Ｄは材質が弾性体で構成されている。
【００５２】
それゆえ、戸板閉時において、係止ピンＰのくわえ込みの際、係止ピンＰがキャッチ部Ｃの開口部Ｍから嵌挿され、続いて、弾性体からなる波型段部Ｄに達し、この箇所で係止ピンＰがキャッチされ、くわえ込まれたままで弾性体の復元力で押さえ込まれて維持される。波型段部Ｄを構成する弾性体は、例えば、軟質又は半硬質のウレタン樹脂成型体、ポリエチレン樹脂成型体、ウレタン樹脂発泡体、ポリエチレン樹脂発泡体、合成ゴム、天然ゴム等を好適なものとして例示できる。
【００５３】
また、細長い直方体状のケース本体Ｋが戸板１の上端縁の戸閉まり側の端部に設けられ、該ケース本体Ｋ内に、前記オイルダンパーＵ及びコイルバネＢがキャッチ部Ｃとともに内蔵されている。
【００５４】
戸板１の閉時、戸板１を戸閉まり方向に移動させると、戸板上端縁の戸閉まり側の端部に設けられているキャッチ部Ｃが、上部ガイドレール６から垂下して位置固定状態で設けられている係止ピンＰをくわえ込み、キャッチ部Ｃを押すと、キャッチ部Ｃを戸板１に対して所定位置（戸板上端縁の戸閉まり側の端部）に固定しているロックＱが外れ、逆に、キャッチ部Ｃが戸板１の戸閉まり側の端部位置にまで戻ると、前記ロックＱが掛かる構成とされている。
【００５５】
戸板閉時、このロックＱの構成は、例えば、一例として、緩衝治具５ｂのケース本体Ｋから上方に向けて、突出又は引っ込みが自在とされる小突起が設けられ、該小突起はバネで上方へ突出状態で付勢されている。前記小突起は突出状態でロックＱが掛かった状態であり、小突起が引っ込む状態でロックＱが解除された状態である。この小突起は正面から見ての形状で、三角形状であり、戸閉まり側の端縁が垂直壁で、戸開き側の端縁が約４５度以下の斜壁を有する三角形状である。ロック状態において、キャッチ部Ｃの後端を前記垂直壁で支える構成である。ロックＱが解除されると前記小突起が引っ込む構成である。
【００５６】
戸板閉時に、係止ピンＰがキャッチ部Ｃを押すと、ロックＱが解除され、小突起が引っ込み、キャッチ部ＣがロックＱを通り過ぎることができる。逆に、戸板開時においては、キャッチ部Ｃの先端部が、ロックＱの小突起の斜壁に当接し、ロックＱに掛かる力の分力の約半分が下方に作用し、ロックＱの小突起がバネの力に抗して引っ込む。このことでキャッチ部ＣがロックＱを通り過ぎることができる。そして、キャッチ部ＣがロックＱを通り過ぎると、ロックＱの小突起がバネの付勢力で突出し、ロックＱが掛かる。このようにして、キャッチ部Ｃは戸板１の戸閉まり側の端部にまで達する。この状態でロックＱが掛かっている状態である。
【００５７】
このロックＱは、小突起をバネで上方へ付勢させているが、バネの下端縁において、クランプ状の回転子が設けられており、回転子先端がバネに連結している。キャッチ部Ｃが戸板上端縁の戸閉まり側の端部位置にある時（戸板１が開いている状態の時）は、この小突起が突出しており、キャッチ部Ｃの後端を支え、キャッチ部Ｃが後方へ移動しない構成とされている。
【００５８】
そして、戸板１の閉時、係止ピンＰがキャッチ部Ｃを押すと、キャッチ部Ｃの下端部の爪がクランプ状の回転子先端部を押し、回転子を回転させ、バネを下方へ引っ張る方向に作用し、小突起が引っ込み、このことで、ロックＱが解除される構成とされている。キャッチ部Ｃの下端縁が前記小突起の上に乗ると、前記爪が外れ、小突起がバネで押し上げられるが、キャッチ部Ｃの底部で押圧され突出できない。キャッチ部Ｃが通り過ぎると小突起が突出する。この状態では、小突起が突出しているが、ロックＱが解除された状態である。キャッチ部Ｃが係止ピンＰをくわえ込んだまま、コイルバネＢの収縮力によって戸板開方向へと移動し、この反作用によって、戸板１の戸閉まり側の端縁ｅは、左縦枠４に向けて付勢される。このようにして、縦枠４との隙間が生じることもなく確実に戸板１を閉めることができる。
【００５９】
また、逆に戸板開時、戸板１を開方向へ移動させると、キャッチ部Ｃの先端部が、ロックＱの小突起の斜壁に当接し、ロックＱに掛かる力の分力の約半分が下方に作用し、ロックＱがバネの力に抗して引っ込み、キャッチ部ＣがロックＱを通り過ぎることができる。そして、キャッチ部ＣがロックＱを通り過ぎると、ロックＱの小突起が突出してロックＱが掛かる。このように、戸板開時、戸板１を開ける方向に手で移動させると、キャッチ部Ｃが、ロックＱを通り過ぎると、ロックＱの小突起がバネの付勢力で突出してロックＱが掛かる。
【００６０】
ロックＱの構成の一例を上記に詳述したが、この構成のロックに限定されるものではない。前記キャッチ部Ｃが戸板１の戸閉まり側の端部位置において、その位置を戸板１に対して維持固定し、又は、固定を解除自在とする構成のロックであれば、この構成以外のロックＱであっても、勿論良いものとする。
【００６１】
上記に詳述した如く、戸板１の閉時、上枠２内の上部ガイドレール６から垂下して設けられている前記係止ピンＰを、緩衝治具５ｂのキャッチ部Ｃの波型段部Ｄにくわえ込ませた状態のまま、戸板１を閉方向に付勢させると、係止ピンＰがキャッチ部Ｃを押し、ロックＱが外れ、キャッチ部Ｃが係止ピンＰをくわえたまま、前記コイルバネＢの収縮力で、キャッチ部Ｃと固定部Ｔの距離が縮小する。しかし、前記オイルダンパーＵが縮む際の抵抗力が生じる。このようなオイルダンパーＵの働きで、前記付勢力に抵抗が働き、戸板１の閉まり方向の走行速度にブレーキが作動し、このことで戸板１の戸閉まり速度を適宜調整可能とされている。
【００６２】
すなわち、前記キャッチ部Ｃが係止ピンＰをくわえ込み、キャッチ部Ｃを押すと、前記ロックＱが外れ、キャッチ部Ｃが戸板１に対して移動し戸板１が閉まる。
【００６３】
逆に、戸板開時、キャッチ部Ｃが戸板１に対して移動し、（このとき、オイルダンパーＵが伸長するが、その際、適度な抵抗力が働き、戸板１が急激に開くことによるトラブル等の解消になる。さらに、コイルバネＢが伸長することになるが、その際のコイルバネＢの抵抗力も働いて戸板１が急激に開くことによるトラブル等の解消になる。）戸板１の戸閉まり側の端部位置にまで戻ると、前記ロックＱが掛かる構成とされている。
【００６４】
すなわち、戸板閉時に前記キャッチ部Ｃが係止ピンＰをくわえ込み、前記ロックＱが外れると、キャッチ部Ｃが係止ピンＰをくわえたまま、上部ガイドレール６に対して固定されたまま、戸板１に対して移動し、コイルバネＢが伸長位置から収縮位置まで縮む方向のコイルバネＢの収縮力で、戸板１が閉方向に付勢され、逆に、戸板開時に前記キャッチ部Ｃが戸板１の戸閉まり側の端部位置にまで戻ると、前記ロックＱが掛かかる。
【００６５】
上記のように、引戸の戸板１を閉める時、前記オイルダンパーＵの働きで、引戸閉時の走行速度をよりいっそう適度に制動することが可能で、引戸を勢いよく閉めた時に引戸が縦枠４に衝突して生じる衝撃や振動や騒音や指の怪我の防止にとって、よりいっそう好適である。さらに、戸板開時においても、前記コイルバネＢの働きで引戸閉時の走行速度をよりいっそう適度に制動することが可能で戸板１が急激に開くことによるトラブル等の解消になる。すなわち、戸板１を閉める際も、また、開く際も、スム−ズに開閉可能で、しかも、引戸を長期間使用し、開閉操作を長期間にわたって実施しても、戸板１の走行速度の制動力が弱くなるといったことがない引戸構造体が実現する。
【００６６】
さらに詳述すると、戸板１の戸閉まり側の端部にあるキャッチ部Ｃに、係止ピンＰがくわえ込まれる前の状態（戸板１が開いている状態）においては、緩衝治具５ｂの端部に設けられたオイルダンパーＵは、キャッチ部Ｃと固定部Ｔとの間に設けられ、その両端部はキャッチ部Ｃと固定部Ｔの箇所で固定されている。このような構成でオイルダンパーＵは、定常状態にあり、伸長方向にも、また、収縮方向にも付勢されていない。
【００６７】
また、前記オイルダンパーＵを伸長させる際にはある程度の力が必要で、また、収縮させる際にもある程度の力が必要である。しかし、オイルダンパーＵは、伸長及び収縮過程の任意の位置において、いずれの方向にも付勢されていない。そして、前記オイルダンパーＵの固定部Ｔの位置は、オイルダンパーＵが伸縮しても、変化しないが、キャッチ部Ｃの箇所において、オイルダンパーＵの先端が固定されており、戸板１が開いている状態において、キャッチ部Ｃは戸板１の戸閉まり側の端部に、前記ロックＱによって位置固定されている。そして、ロックＱが掛かったり、又は、ロックＱが解除されたりが、自在とする構成とされている。このような構成でオイルダンパーＵが設けられている。また、前記オイルダンパーＵのすぐ下にコイルバネＢが設けられている。
【００６８】
前記コイルバネＢについて詳述すると、前記緩衝治具５ｂにおいて、キャッチ部Ｃと固定部Ｔを結ぶコイルバネＢが設けられており、コイルバネＢの戸閉まり側の端部がキャッチ部Ｃに係止され、他端部が固定部Ｔに係止され、この状態で、キャッチ部ＣとオイルダンパーＵの戸閉まり側の端部が連結され、オイルダンパーＵの他端部が固定部Ｔに係止されている。コイルバネＢ及びオイルダンパーＵはこのような連結状態で固定されている。
【００６９】
さらに、上記で詳述したように、前記緩衝治具５ｂのキャッチ部Ｃは、戸板１の戸閉まり側の端縁位置において、その位置を維持固定し、又は、固定を解除自在とする構成の、前記ロックＱが設けられている。そして、戸板１の閉時、キャッチ部Ｃが係止ピンＰをくわえ込み、係止ピンＰがキャッチ部Ｃを押すと、前記ロックＱが外れ、キャッチ部Ｃが係止ピンＰをくわえ込んだまま上部ガイドレール６に対して位置が固定されているので、キャッチ部Ｃは戸板１に対して移動することになる。キャッチ部Ｃが移動可能となると、コイルバネＢの伸縮にともなって、戸板１が上下のガイドレール６、７に沿って、走行可能な構成とされている。
【００７０】
このように、コイルバネＢが伸縮自在な構成とされ、戸板閉時に、前記キャッチ部Ｃが係止ピンＰをくわえ込み、前記ロックＱが外れると、コイルバネＢが伸長位置から収縮位置まで縮む方向の力が作用し、該コイルバネＢの収縮力で、戸板１が閉方向に付勢される構成である。
【００７１】
戸板閉時、戸板１を閉める方向に手で移動させ、前記係止ピンＰがキャッチ部Ｃの開口部Ｍにくわえ込まれると、前記ロックＱが解除され、キャッチ部Ｃが係止ピンＰをくわえ込んだまま、引き込み、ゆっくりと戸板１が閉まる。このとき、前記オイルダンパーＵの収縮時の抵抗が働き、急に閉まるといったことがなく、戸板１にブレーキが掛かり、ゆっくりと戸板１が閉まるのである。
【００７２】
すなわち、この時、前記コイルバネＢの収縮力が作用している。そして、キャッチ部Ｃの位置は、上部ガイドレール６に対して位置固定されており、戸板１に対しては移動可能な構成とされている。このようにして、コイルバネＣの収縮につれて、オイルダンパーＵが適度に抵抗を示しながら、コイルバネＢの伸縮につれてオイルダンパーＵがゆっくりと適度な速度で収縮する。このようにして、戸板１は戸板閉時の走行方向に平行方向にゆっくりと移動する。
【００７３】
さらに、戸板１を閉めた際の閉め終わりにおいて、縦枠４の内面と、戸板１の戸閉まり側の端縁ｅとの間に隙間が発生しそうになった場合、前記コイルバネＢの収縮力の働きで、戸板１を戸閉まり方向に完全に引き込み、前記隙間等が発生しない。
【００７４】
また、戸板開時、戸板１を開ける方向に手で移動させると、コイルバネＢを伸長させる際の抵抗力が多少働くが、それを乗り越えて、キャッチ部Ｃが戸板１の戸閉まり側の端縁位置にまで戻ると、前記ロックＱが掛かる構成とされており、戸板開時において、戸板１を開ける方向に手で移動させると、キャッチ部Ｃが戸板１の戸閉まり側の端縁位置にまで戻り、この位置で、前記ロックＱが掛かり、コイルバネＢの収縮力が戸板１の走行に影響しない状態に戻る。続いて、係止ピンＰがキャッチ部Ｃから開放され、コイルバネＢの伸長状態を維持したまま、戸板１を開方向へ移動させることができる。
【００７５】
このように、戸板１が完全にしまった状態から、戸板１を開方向へコイルバネＢの収縮力とオイルダンパーＵの伸長する際の抵抗力を適度にうけながら、キャッチ部Ｃが戸板の上端縁の戸閉まり側の端部に戻るまでの間、戸板１は開ける際の適度な抵抗力を受ける。このことで、急激に戸板が開くことによるトラブルも解消される。戸板１は手でゆっくりと、戸板開方向へ移動させることができる。オイルダンパーＵやコイルバネＢの働きで急に開くことがなく、適度な速度でゆっくりと開けることができる。このようにして、戸板１のスムーズな開閉が可能となる。
【００７６】
また、前記走行緩衝装置５のコイルバネＢの一方の端部を係止する前記固定部Ｔの取り付け位置は、コイルバネＢの長さ方向に沿って移動可能な構造とされている。コイルバネＢの伸長位置から収縮位置までの長さを自在に変えることができるものである。
【００７７】
このように、コイルバネＢの一方の端部を係止する前記固定部Ｔの取り付け位置が、コイルバネＢの長さ方向に沿って移動可能とされている。
【００７８】
前記固定部Ｔの取り付け位置を移動可能にする構造としては、一例として、コイルバネＢの固定部Ｔの構造を、固定片（図示せず）にコイルバネＢの端部を引っ掛ける構造とし、該固定片を前記ケース本体Ｋに取り付けビスで取り付ける構造とする。さらに、前記固定片をケース本体Ｋ内部において、戸板走行方向と平行方向に移動調整可能な構造とする。例えば、一例として、前記固定片を取り付けるための取り付けビスの取り付け孔を戸板走行方向に細長い長穴とする構造でもよい。また、別の方法として、調整ネジ（図示ぜず）を用意し、調整ネジの先端を前記固定片に当接させ、調整ネジをネジ込んだり、また、逆にネジ戻したりすることで、固定片を移動させる構造とすることができる。このようにして、コイルバネＢの固定部Ｔを微調整し、固定部とキャッチ部Ｃとの距離を変化させ微調整することで、コイルバネが作用する力の大きさを調整することが可能となる。
【００７９】
コイルバネＢの伸長位置から収縮位置までの長さを自在に変えることができるので、コイルバネＢが作用する力の調整が可能となる。従って、戸板閉時において、縦枠４と戸板１の戸閉まり側の端縁ｅとの間に隙間が生じる傾向を解消するには、前記コイルバネＢの伸長位置から収縮位置までの長さを大きくし、コイルバネＢの縮む力を大きくすればよい。また、逆に、戸板開時において、戸板１を開ける際に、過大な力を要し開けづらいといった場合には、前記コイルバネＢの伸長位置から収縮位置までの長さを小さくし、コイルバネＢの縮む力を小さくすればよい。
【００８０】
また、戸板１の上端縁の走行緩衝装置５の後部近傍に走行ガイド部Ｇが設けられている。また、戸板１の上端縁の他端部にガイドランナー８が設けられている。前記走行ガイド部Ｇとガイドランナー８は、戸板１の厚み方向に偏心した位置を軸芯として回転可能とする円盤状の回転体Ｒ１と、その下部に設けられ、鋸歯部Ｅが形成された調整体Ｒ２で構成されている。前記回転体Ｒ１は偏心位置を回転の軸芯として回転する仕組みゆえ、戸板１の走行性の左右バランスを微調整することができる。
【００８１】
戸板１の厚み方向に偏心した位置を軸芯として回転可能とする円盤状の回転体Ｒ１ゆえ、回転体Ｒ１が戸板１の厚み方向に対して偏心した位置を軸芯として回転しつつ、戸板１が走行するような調整が可能となり、戸板１を走行方向から見て、左右方向にバランスよく微調整された走行が可能となる。
【００８２】
すなわち、走行ガイド部Ｇ及びガイドランナー８は、鋸歯部Ｅが形成された調整体Ｒ２と、該調整体Ｒ２と軸芯で連結され上部に位置する回転体Ｒ１で構成されている。前記調整体Ｒ２の軸芯は戸板１の厚み方向の中心線上になく、該中心線上から若干距離だけ離間し偏心した位置にもってくるように調整可能な構成とされている。回転体Ｒ１の回転の軸芯と調整体Ｒ２の回転の軸芯は一致しており、さらに、前記調整体Ｒ２は基本的には、戸板１の開閉操作につれて回転せず、停止状態である。回転するのはその上部にある回転体Ｒ１である。回転体Ｒ１が上部ガイドレール６内を回転しながら、戸板１が上部ガイドレール６の長手方向に沿って移動する仕組みである。
【００８３】
戸板１の厚み方向の中心線上に一致して回転しない基部が設けられている。そして、前記調整体Ｒ２の回転の軸芯は、前記基部の中心点と偏心した点を回転の中心に持つ構成である。このようにして、調整体Ｒ２の回転の軸芯は戸板１の厚み方向の中心線上から若干距離だけ離間した位置（偏心した位置）にある。さらに調整体Ｒ２とその上部の回転体Ｒ１とは、回転の中心軸を一致させてある。調整体Ｒ２に形成されている鋸歯部Ｅを、若干回転させると、その下部にある基部の中心点を中心として、調整体Ｒ２の軸芯が円弧の軌跡を描くようにして移動し、しかも、調整体Ｒ２と回転体Ｒ１とは中心軸が一致させてあるので、このことによって、回転体Ｒ１の回転の軸芯位置と、戸板１の厚み方向の中心線との間の距離が微調整可能な構成である。このように、回転体Ｒ１の回転の軸芯を戸板中心線から見て偏心させた位置にもってくるように微調整が簡単にできる構成である。
【００８４】
このように、回転体Ｒ１が戸板１の厚み方向に対して偏心した位置を軸芯として回転させることで、戸板１の走行の左右バランスを調整可能となる。従って、戸板１が走行方向から見て戸板１の厚み方向に偏って施工されていても、左右方向にバランスよく微調整された走行が可能となる。
【００８５】
さらに、詳述すると、このような調整は、下部にある調整体Ｒ２に形成されている鋸歯部Ｅの鋸歯にマイナスドライバーの先端部を当接させ鋸歯に加力し調整体Ｒ２を若干回転させて、基部の中心と調整体Ｒ２の中心を偏心させ、このことによって、回転体Ｒ１の回転の軸芯位置を左右方向（戸板厚み方向）に微調整することが可能となり、調整体Ｒ２は回転しないで、回転体Ｒ１の回転の軸芯位置を微調整することができる。
【００８６】
この戸板１の微調整は、戸板１を取り外すことなく、戸板１を引戸枠に取り付けたままで行うことができる。また、この偏心調整は、走行ガイド部Ｇと、ガイドランナー８の両方でおこなってもよいし、また、いずれか片方でもよい。必要に応じて、このように、微調整することで、戸板１の走行具合（左右のバランス）をスムーズなものとすることができる。
【００８７】
このように、回転体Ｒ１を偏心位置で回転するように微調整することで、引戸走行時に前記走行ガイド部Ｇとそれとは他方の戸板上端部に設けられているガイドランナー８とが上部ガイドレール６内を微調整されて走行移動し、戸板走行方向の左右バランスが微調整可能とされた構造である。
【００８８】
さらに詳述すると、走行ガイド部Ｇ及びガイドランナー８の回転体Ｒ１の取り付け位置が戸板１の走行方向と略直交する方向（戸板厚み方向）に微調整可能に設けられている。そのため、引戸の走行時に、前記走行ガイド部Ｇが、それとは他方の戸板上端縁に設けられているガイドランナー８と共に、上部ガイドレール６内を走行移動し、戸板走行方向に対して戸板１の左右方向のバランスが適度に調整可能になる。従って、戸板走行性が極めて向上する。
【００８９】
また、前記走行緩衝装置５の係止具５ａの平板片Ｈの所定位置に調整孔Ｊが設けられている。該調整孔Ｊは、戸板１の走行方向と略直交方向（戸板の厚み方向）に細長い形状の長穴である。該長穴を利用して前記平板片Ｈが戸板１の走行方向と略直交方向（戸板の厚み方向）に取り付け位置を微調整可能な構成とされている。前記平板片Ｈの位置を戸板１の走行方向と略直交方向（戸板の厚み方向）に微調整することによってもまた、戸板１を走行方向から見て、左右方向にバランスよく微調整された走行が可能となる。
【００９０】
また、前記係止具５ａの平板片Ｈの調整孔Ｊによる平板片Ｈの位置の微調整、走行ガイド部Ｇの回転の軸芯位置の微調整、ガイドランナーの回転の軸芯位置の微調整の、それぞれのうちの、少なくとも１つを適正な位置に微調整することで、戸板走行方向の左右バランスが微調整可能とされているのである。
【００９１】
本例では、前記走行ガイド部Ｇ及びガイドランナー８は、平面視円形を有する円筒体からなる。該円筒体の上部は回転体Ｒ１からなり、その下部には調整体Ｒ２が設けられており、さらにその下部に基部が設けられている。さらに、それぞれの調整体Ｒ２には鋸歯部Ｅが設けられている。この鋸歯部Ｅの鋸歯にマイナスドライバーの先端部を当接させ鋸歯に加力し調整体Ｒ２を若干回転させて、基部に対して、調整体Ｒ２を偏心回転させ、調整体Ｒ２の回転の軸芯を左右方向（戸板の厚み方向）に微調整することができる。このようにして回転体Ｒ１の回転の軸芯を左右方向（戸板の厚み方向）に微調整することができるのである。このように、回転体Ｒ１は戸板厚み方向に若干偏心した位置を回転の軸芯として回転しつつ、上部ガイドレール６の内部を移動する。このようにして、戸板１の走行具合を向上させることができる。
【００９２】
しかも、従来の引戸はいちいち戸板１を引戸枠から取り外してから、さらに、回転体の取付ビスを、一旦、取り外して、丁度良い位置に取付直すといったように、手間のかかる作業性の悪い微調整を行っていたが、本発明の構成においては、戸板１を取り外すことなく、戸板１を引戸枠に取り付けたままで行うことができる。
【００９３】
また、詳述すると、前記走行ガイド部Ｇ及びガイドランナー８の下部にある調整体Ｒ２は、上記のように、その円周上に沿って鋸歯部Ｅが形成されており、しかも、該調整体Ｒ２は、下方の基部に対して、偏心位置を中心に偏心回転させることができる。偏心回転させると、調整体Ｒ２と戸板上端縁との位置関係において、調整体Ｒ２の位置が戸板走行方向と直角方向（戸板厚み方向）に若干移動する。この調整体Ｒ２は戸板１の走行につれて回転しない。そして、回転体Ｒ２の中心と回転体Ｒ１の中心が一致した状態で上下に接続されている。戸板走行につれて回転するのは回転体Ｒ１の方である。調整体Ｒ２の働きは、回転体Ｒ１の取り付け位置（回転の軸芯）を戸板厚み方向に微調整することである。戸板１の走行具合を見て、ガイドランナー８及び走行ガイド部Ｇを微調整することで、戸板１の走行具合を向上させることができる。前記鋸歯部Ｅの働きは、調整体Ｒ２を偏心回転させる時にマイナスドライバーの先端を鋸歯部Ｅのきざみ目に当接させることで戸板１を取り付けたまま極めて簡単に調整できることにある。調整体Ｒ２の中心を戸板厚み方向へ偏心させ、このことで回転体Ｒ１の回転の軸芯（中心）を戸板厚み方向へ偏心させることができる。
【００９４】
上記のように、前記走行緩衝装置５の緩衝治具５ｂの前記キャッチ部Ｃが弾性体からなる波型段部Ｄで構成されているので、戸板閉時において、係止ピンＰのくわえ込みの際、係止ピンＰが波型段部Ｄにくわえ込まれ、しかも、波型段部Ｄが弾性体からなるので、適度な力で係止ピンＰを保持することが可能となる。
【００９５】
また、前記係止具５ｂの平板片Ｈの調整孔Ｊによる平板片Ｈの戸板厚み方向の位置の微調整をおこなうこと、走行ガイド部Ｇの回転体Ｒ１を微調整された偏心位置で回転させること、ガイドランナー８の回転体Ｒ１を微調整された偏心位置で回転させること等のいずれか１つ以上を実施するとよい。このことで、戸板走行性が極めて向上する。すなわち、戸板１の走行方向と略直交する方向（戸板厚み方向）に、前記平板片Ｈ、走行ガイド部Ｇ、ガイドランナー８を微調整可能な構成とされている。このことで、引戸の走行時に、戸板走行方向に対して戸板１の左右方向のバランスが適度に調整可能になる。従って、戸板走行性が極めて向上する。
【図面の簡単な説明】
【００９６】
【図１】本発明の引戸構造体の正面図。
【図２】本発明の引戸構造体の要部拡大斜視図。
【符号の説明】
【００９７】
１      戸板
ｅ      戸板の戸閉まり側の端縁
２      上枠
３      下枠
４      縦枠
５      走行緩衝装置
５ａ    係止具
Ｈ      係止具の平板片
Ｐ      係止具の係止ピン
Ｊ      係止具の調整孔
５ｂ    緩衝治具
Ｋ      緩衝治具のケース本体
Ｃ      キャッチ部
Ｍ      開口部
Ｄ      波型段部
Ｙ      係止部
Ｕ      オイルダンパー
Ｂ      コイルバネ
Ｔ      固定部
Ｇ      走行ガイド部
Ｒ１    回転体
Ｒ２    調整体
Ｅ      鋸歯部
６      上部ガイドレール
７      下部ガイドレール
８      ガイドランナー
Ｒ１    回転体
Ｒ２    調整体
Ｅ      鋸歯部
９      戸板の下部走行具
１０    中方立
Ｓ      ストッパー
Ｑ      ロック
【図１】
2009287228.tif 000003
【図２】
2009287228.tif 000004